(57)【要約】【課題】水栓使用時において、使用者に水栓の動的な美しさや品位を感じさせることができ、水栓使用に際して使用者に快適さを感じさせることのできる水栓を提供する。【解決手段】給水路上に設けた弁体を駆動手段により間接に若しくは直接に駆動して給水流量を制御する弁装置を備えた水栓において、吐水口からストレート吐水を行うときの弁体の開弁速度を、シャワー吐水を行うときの弁体の開弁速度よりも遅くしておく。【選択図】        図１０
2011012541.tif 000002
【特許請求の範囲】
【請求項１】
給水路上に設けた弁体を駆動手段により間接に若しくは直接に駆動して給水流量を制御する弁装置を備えた水栓であって、
吐水口からストレート吐水を行うときの弁体の開弁速度を、シャワー吐水を行うときの弁体の開弁速度よりも遅くしてあることを特徴とする水栓。
【発明の詳細な説明】
【技術分野】
【０００１】
この発明は駆動手段によって弁体を駆動し給水流量を制御する水栓に関する。
【背景技術】
【０００２】
駆動手段にて弁体を駆動し、給水流量を制御する弁装置を備えた水栓は従来から広く用いられている。
この種水栓にあっては、従来、弁装置として電磁コイル（駆動手段）にてパイロット弁体としての可動鉄芯からなるプランジャ弁体を開閉することによって給水路上の弁体（主弁体）を開閉するようになしたものが一般に用いられているが、この場合、止水を行うべく電磁コイルに通電を行うとプランジャ弁体がほぼ瞬時に閉弁して給水路が閉じられ、その際にウォーターハンマーが発生するといった問題がある。
【０００３】
そこで従来、かかるウォーターハンマーを防止するための様々な提案がなされている。
例えば下記特許文献１には、閉弁時にプランジャ弁体をゆっくりと除々に閉弁するようにして、このウォーターハンマーを防止するようになしたものが開示されている。
【０００４】
ところで、水栓にあっては外観的な美しさが従来から求められており、これを満たすべく水栓設計に際しては外観的なデザインを美しくすることに多大な労力が費やされ、また細心の注意が払われてきた。
この水栓の外観的な美しさは、いわば静的な美しさと言え、これに対して動的な美しさ、例えば吐水時における吐水の美しさや止水時における止水の美しさといったものについては、従来全く考慮がされていないのが実情である。
【０００５】
水栓の美しさや品位といったものは、水栓の外観的な美しさや品位とともに、吐水や止水の際の吐水流の姿や変化から受ける動的な美しさや品位も重要な要素であり、こうした点については従来研究ないし提案は全くされていないのが実情である。
【先行技術文献】
【特許文献】
【０００６】
【特許文献１】特開平７−３３２５３０号公報
【発明の概要】
【発明が解決しようとする課題】
【０００７】
本発明は以上のような事情を背景とし、水栓使用時において使用者に水栓の動的な美しさや品位を感じさせることができ、水栓使用に際して使用者に快適さを感じさせることのできる水栓を提供することを目的としてなされたものである。
【課題を解決するための手段】
【０００８】
而して請求項１のものは、給水路上に設けた弁体を駆動手段により間接に若しくは直接に駆動して給水流量を制御する弁装置を備えた水栓であって、吐水口からストレート吐水を行うときの弁体の開弁速度を、シャワー吐水を行うときの弁体の開弁速度よりも遅くしてあることを特徴とする。
【発明の作用・効果】
【０００９】
以上のように請求項１のものは、吐水口からストレート吐水を行うときの弁体の開弁速度を、シャワー吐水を行うときの開弁速度よりもゆっくりと遅くしたものである。
シャワー吐水の場合、シャワー吐水口で大きな水の抵抗が発生し、この場合ストレート吐水と同じように弁体の開弁速度を遅くすると、当初から良好にシャワー吐水が行われず、吐水がボタ落ちしてしまって却って使用者に対し不快感を与えてしまう恐れがある。
しかるにこの請求項１によればこうした不都合の発生を回避することができ、ストレート吐水，シャワー吐水の何れの吐水を行う場合においても水栓使用者が快適に水栓を使用することができる。
【図面の簡単な説明】
【００１０】
【図１】本発明の一実施形態である水栓を示した図である。
【図２】同実施形態における弁装置の構成を示した図である。
【図３】図２の部分拡大図である。
【図４】同実施形態の水栓の作用を表した図である。
【図５】同実施形態の水栓の図４とは異なる作用を表した図である。
【図６】図２に示す弁装置の開弁及び閉弁の速度を表した参考例の図である。
【図７】吐水口からの吐水流の変化を表した図である。
【図８】図６とは異なったパターンで開弁及び閉弁する際の開弁速度，閉弁速度を表した参考例の図である。
【図９】図６及び図８とは異なったパターンで吐水を行う際の開弁速度を表した参考例の図である。
【図１０】図６，図８，図９とは異なったパターンで開弁する際の開弁速度を表した実施形態の図である。
【図１１】開弁速度と閉弁速度との各種の組合せのパターン例を示した図である。
【図１２】鉛直下向き及び斜め下向きに吐水を行う際の説明図である。
【図１３】弁装置の他の形態例を示した図である。
【発明を実施するための形態】
【００１１】
次に本発明の実施形態を図面に基づいて詳しく説明する。
図１は本実施形態の水栓を示したもので、図中１は水栓の吐水部で先端に吐水口２を有している。
吐水部１の基端部にはベースプレート３が設けられており、そこに吐止水用のスイッチ４が設けられている。
ここでスイッチ４は接触式のスイッチであっても良いし、また非接触式のスイッチであっても良い。
この水栓では、スイッチ４を１回操作すると吐水口２から吐水が行われ、また再びスイッチ４を操作するとそこで吐水が停止（止水）する。
【００１２】
１４は吐水口２に水を供給する給水路で、この給水路１４上に弁装置１２が設けられている。
５は弁装置１２を作動制御するコントローラで、ボックス６を有している。
【００１３】
図２に弁装置１２の構成が具体的に示してある。
図２において、１０は弁装置１２のボデーで、給水路１４上にダイヤフラム弁からなる主弁体（弁体）１６が開閉可能に設けられている。
図２中１４ａは給水路１４における主弁体１６よりも上流側（１次側）の流入水路を、また１４ｂは下流側（２次側）の流出水路をそれぞれ表している。
【００１４】
主弁体１６は、図３に示しているように硬質（ここでは樹脂製）の主弁本体１８と、これにより保持されたゴム製のダイヤフラム膜２０とからなっている。
この主弁体１６は、主弁座２２に対して図中上下方向に進退移動して給水路１４を開閉し、また給水路１４の開度を変化させる。
詳しくは、主弁座２２への着座によって給水路１４を遮断し、また主弁座２２から図中上向きに離間することによって、給水路１４を開放する。
また主弁座２２からの離間量に応じて給水路１４の開度を大小変化させ、給水路１４を流れる水の流量を調節する。
【００１５】
図２において、２４はボデー１０の一部を構成する蓋体で、その内側（図中下側）に且つ主弁体１６の背後に背圧室２６を形成している。
背圧室２６は、内部の圧力を主弁体１６に対して図中下向きの閉弁方向の押圧力として作用させる。
【００１６】
図３に示しているように主弁体１６には、これを貫通して１次側の流入水路１４ａと背圧室２６とを連通させる導入小孔２８が設けられている。
この導入小孔２８は、流入水路１４ａからの水を背圧室２６に導いて背圧室２６の圧力を増大させる。
【００１７】
主弁体１６にはまた、これを貫通して背圧室２６と２次側の流出水路１４ｂとを連通させる、水抜水路としての環状の水路幅が狭小なパイロット水路３０が設けられている。
このパイロット水路３０は、背圧室２６内の水を流出水路１４ｂに抜いて背圧室２６の圧力を減少させる。
【００１８】
図３に示しているように、主弁体１６にはその中心部に軸心方向に貫通する貫通孔が設けられており、そこに操作軸３２の先端側（図中上端側）の部分が挿通されている。
上記パイロット水路３０は、この操作軸３２の先端側の部分の外周面と貫通孔内周面との間に環状に形成される。
【００１９】
図３に示しているように、操作軸３２にはくびれ部３４が設けられていて、その外周側に環状の凹所が形成されている。
操作軸３２は、このくびれ部３４よりも上側の部分がパイロット弁体３６とされている。即ちこの実施形態ではパイロット弁体３６が操作軸３２に一体に構成されている。
【００２０】
主弁体１６には、貫通孔の内周面に沿って主弁体１６の軸心周りに環状をなすパイロット弁座３８が一体に設けられている。
このパイロット弁座３８は、シール部としてのＯリング４０を保持している。
【００２１】
上記操作軸３２は、図２に示しているようにくびれ部３４を除いてその全体が断面円形且つ外径が一様な棒状をなしており、その先端側の一部にて構成された上記パイロット弁体３６が、パイロット弁座３８に対し、主弁体１６の軸心に沿って図中上下方向に進退移動可能に嵌合するようになっている。
【００２２】
図３はパイロット弁体３６の止水時の状態を表しており、このときパイロット弁体３６はＯリング４０を介してパイロット弁座３８に対し全周に亘って径方向に弾性接触し、パイロット弁座３８との間を水密にシールした状態にある。
またこのとき、主弁体１６は主弁座２２に着座した状態にあって、給水路１４は閉鎖された状態にある。
【００２３】
図４，図５はパイロット弁体３６の移動による給水路１４の開閉制御の作用を表している。
この実施形態では、図２に示す止水状態から図４（Ｉ）に示しているようにパイロット弁体３６が図中上向きに後退移動すると、パイロット弁体３６とパイロット弁座３８との間に隙間が生じ、背圧室２６内の水がパイロット水路３０を通じて流出水路１４ｂ側に抜け出して、背圧室２６の圧力が減少する。
【００２４】
そこで主弁体１６が流入水路１４ａとの圧力差により図中上向きに後退移動し、そして図４（II）に示しているように流入水路１４ａの圧力と、背圧室２６の圧力とがバランスする位置で主弁体１６の後退移動が停止する。
この主弁体１６の後退移動によって、主弁体１６と主弁座２２との間に隙間が生じ、流入水路１４ａから流出水路１４ｂへと水が流入する。
【００２５】
この状態からパイロット弁体３６が更に図中上向きに後退移動させられると、背圧室２６の圧力と流入水路１４ａとの圧力をバランスさせるようにして、主弁体１６がパイロット弁体３６の後退移動に追従して後退移動し、給水路１４の開度を更に広くして給水路１４を流れる水の流量を増大させる（図４(III)参照）。
【００２６】
一方、パイロット弁体３６が図５（Ｉ）に示しているように図中下向きに前進移動すると、パイロット弁体３６とパイロット弁座３８との間、詳しくはパイロット弁座３８に保持されたＯリング４０との間の隙間が小さくなって、即ちパイロット水路３０の開度が小さくなって、背圧室２６から流出水路１４ｂに抜ける水の量が少なくなり、背圧室２６の圧力が増大する。
【００２７】
このため、その増大した圧力により主弁体１６が今度は図中下向きに前進移動して、背圧室２６の圧力と流入水路１４ａとの圧力をバランスさせる位置で停止する。
このとき主弁体１６と主弁座２２との間の隙間は小さくなって、即ち給水路１４の開度が小さくなって、給水路１４を流れる水の流量が減少する（図５(II)参照）。
【００２８】
そしてこの状態から更にパイロット弁体３６が図中下向きに前進運動すると給水路１４の開度が更に小さくなり、給水路１４を流れる水の流量が更に減少する（図５(III)参照）。
【００２９】
そして更にパイロット弁体３６が図中下向きに前進運動して、パイロット弁座３８に保持されたＯリング４０に弾性接触し、パイロット水路３０を閉鎖した状態になると、ここにおいて主弁体１６が閉弁状態（図２に示す状態）となって給水路１４の連通が遮断され、水の流通が停止する。
【００３０】
上記操作軸３２は、図２に示しているように２次側の流出水路１４ｂの側から主弁体１６を貫通して設けられている。
ここで操作軸３２は、図１に示しているように駆動手段としての駆動モータ（ここではステッピングモータ）５０に作動的に連結され、かかる駆動モータ５０の回転により、操作軸３２が図中上下方向に進退駆動されるようになっている。
【００３１】
図６は図１の水栓の動作の一例（参考例）を示しており、ここでは給水路１４上に設けた主弁体１６が、閉弁状態から開弁完了まで１〜１．５秒（Ｔ１秒）の長時間かけて開弁動作するように、駆動モータ５０にてパイロット弁体３６を開弁動作させる。
尚この実施形態では、開弁時にパイロット弁体３６は同じ速度で図中上向きに前進移動し、主弁体１６はこれに連動して同じ速度で閉弁状態から開弁完了状態まで開弁動作する。
閉弁に際しても主弁体１６が１〜１．５秒の長時間かけてゆっくりと閉弁するように、駆動モータ５０にてパイロット弁体３６を閉弁動作させる。
【００３２】
具体的には主弁体１６が１〜１．５秒かけて開弁或いは閉弁するように、ステッピングモータからなる駆動モータ５０に対しパルス供給して駆動モータ５０を遅く動作させる。
【００３３】
以上のようにこの例は、閉弁状態から開弁完了までを１〜１．５秒の長時間かけてゆっくりと主弁体１６を開弁させるようになしたもので、この例の水栓にあっては、図７（Ａ）に示すように吐水の最初では少ない流量であたかも糸を引くように吐水流が生じ、その後時間の経過とともに流量が増えて吐水流の太さが段々と太くなり、一定時間経過後の開弁完了状態で最大の吐水量に達し、吐水流の太さも最大の太さに達する（図７（Ｂ）参照）。
その際水栓使用者は、その変化がゆっくりと長い時間かけて行われるため、吐水の流量の変化や吐水流の太さの変化を自然に目で追跡することができ、吐水流の変化を感得することができる。
【００３４】
またこの例によれば、吐水開始時に吐水口２から吐出された水が鉢部で水撥ねを生じて水栓使用者に不快感を与えるといったことも無く、また吐水流が小から大へと静かに滑らかに変化して行くのが水栓使用者に自然に目に入ることとなるため、吐水時に吐水口２から急激に一挙に且つ多量の吐水が乱暴に吐出されてしまうのと異なって、吐水の姿や変化を美しく或いは品位高く感じることができる。
そしてこのことによって、水栓使用者は快適に水栓を使用することができる。
【００３５】
本例では、止水時にも主弁体１６が１〜１．５秒の長時間かけてゆっくりと閉弁する。従ってこの止水時には、図７（Ｂ）に示す最大流量での吐水時から、水の流量が漸次減少するとともに、吐水流の太さが漸次細くなり、そして図７（Ａ）に示す状態を経て最終的に止水に至る。
このため、止水時においても吐水の美しさないし品位を高めることができ、水栓使用者に快い感じを与えることができる。
【００３６】
次に図８は他の参考例を示している。
この例では、主弁体１６が閉弁状態から開弁完了状態（完全開状態）までＴ１（Ｔ１＝１〜１．５秒）かけて同じ速度で開弁動作する一方、閉弁に際しては１秒よりも短い短時間Ｔ２で閉弁動作する。
尚この実施形態においても閉弁時において主弁体１６は同じ速度で閉弁動作する。
尚閉弁に際して１秒よりも短い時間Ｔ２で主弁体１６を閉弁動作させるべく、閉弁時には駆動モータ５０に対して供給されるパルスの間隔が短くされる。
【００３７】
このように本例は吐水時の主弁体１６の開弁速度を止水時の閉弁速度よりもゆっくりと遅くしたもので、この例によれば、吐水の際の動きの変化から来る美しさないし品位を高くし得る一方で、閉弁開始から閉弁終了までの吐水の流量を少なくし得て節水を図ることができる。
【００３８】
図９（Ａ）は更に他の参考例を示している。
この例では、主弁体１６が閉弁状態から開弁完了までをＴ３の長時間かけてゆっくりと開弁する。
ここでＴ３は、上記Ｔ１と同じ時間としておいても良いし或いはまたこれよりも長く（又は短く）しておくこともできる。
【００３９】
この例では、開弁開始した後時間Ｔ４の間は主弁体１６が最も遅くゆっくりと開弁し、その後に開弁速度を速めて全体としてＴ３の時間かけて開弁完了状態となる。
具体的にはこの例では、Ｔ４の時間帯において主弁体１６の開弁速度は最も遅く、開弁後期即ちＴ６の時間帯において主弁体１６の開弁速度が最も速くなり、それらの間の時間帯Ｔ５が、主弁体１６の開弁速度が時間帯Ｔ４における開弁速度から時間帯Ｔ６における開弁速度への移行期間となる。
【００４０】
この例においても、主弁体１６の開弁速度を変化させるために駆動モータ５０に供給するパルスの間隔を、時間帯Ｔ４と時間帯Ｔ５と時間帯Ｔ６とで変化させる。
即ち図９（Ｂ）に示しているように時間帯Ｔ４においては駆動モータ５０に供給するパルスの間隔を大とし、また時間帯Ｔ５においては駆動モータ５０に供給するパルスの間隔を中とし、更に時間帯Ｔ６においては駆動モータ５０に供給するパルスの間隔を最も小とする。
そしてこのことによって、パイロット弁体３６の前進の速度を異ならせ、主弁体１６の開弁速度を閉弁状態から開弁完了までの間で変化させる。
【００４１】
本例のものは、止水状態（閉弁状態）、つまり吐水ゼロの状態から吐水流の生じる吐水状態への変化を可及的に小さく且つ連続した変化とすることができ、吐水の際の美しさないし品位を効果的に高めることができる。
【００４２】
図１に示す水栓においては、吐水口２からの吐水を一本の整流束として吐水するストレート吐水と、シャワー吐水とに切換可能となしてある。
図１０は本発明の実施形態として、ストレート吐水とシャワー吐水とで、吐水時における主弁体１６の開弁速度を異ならせた例である。
【００４３】
この実施形態では、ストレート吐水の際には閉弁状態から開弁完了までＴ７時間かけて主弁体１６を開弁させる。
一方シャワー吐水の際には、閉弁状態から開弁完了までの時間がＴ８となるように短時間で主弁体１６を開弁させる。
尚この実施形態において、時間Ｔ７は１秒以上の長時間となしておくのが良く、また時間Ｔ８はこれよりも短い時間とする。
この場合において、Ｔ７は上記Ｔ１と同じとしておくことができ、或いはこれよりも長い時間又は短い時間となしておくこともできる。
【００４４】
シャワー吐水では吐水口において水の抵抗が発生し、この場合ストレート吐水と同じように主弁体１６の開弁速度を遅くすると、当初から良好にシャワー吐水が行われず、吐水がボタ落ちしてしまって却って使用者に対し不快感を与えてしまう恐れがある。
しかるにこの実施形態によれば、こうした不都合の発生を回避することができ、ストレート吐水，シャワー吐水の何れの吐水を行う場合においても水栓使用者が快適に水栓を使用することができる。
【００４５】
尚、ここでは同じ吐水口２からストレート吐水とシャワー吐水とを行う場合について述べたが、吐水口２とは別にシャワーヘッド等が設けられている場合において、吐水口２からのストレート吐水と、シャワーヘッドのシャワー吐水口からのシャワー吐水とを切り替えて行う場合においても事情は同様である。
【００４６】
図１に示す水栓では、吐水時における主弁体１６の開弁速度，止水時における主弁体１６の閉弁速度を予め設定し且つその設定を固定状態となしておくことができるが、例えば図１に示しているように主弁体１６の開弁速度と閉弁速度との組合せを選択するための複数のディップスイッチ（選択手段）５２-１，５２-２，５２-３，５２-４を設けておき、それらディップスイッチ５２-1〜５２-４の何れかを操作することによって、主弁体１６の開弁速度と閉弁速度との組合せのパターンを水栓使用者が適宜に選択し得るようになしておくことができる。
【００４７】
尚図１において、これらディップスイッチ５２-１〜５２-４はコントローラー５のボックス６内部に設けてあるが、これらディップスイッチ５２-１〜５２-４を他の箇所に設けておくこともできるし、或いはまた選択手段としてこれらディップスイッチ以外のスイッチ等を設けておくこともできる。
【００４８】
図１１は主弁体１６の開弁速度と閉弁速度との組合せのパターンの例を示している。
図中Ａパターンは、吐水時における開弁速度をゆっくりとし、止水時における閉弁速度をゆっくりとした例で、またＢパターンは吐水時における開弁速度をゆっくりとし、止水時における閉弁速度を早くした例である。
一方Ｃパターンは吐水時における開弁速度を早く、止水時における閉弁速度をゆっくりとした例で、Ｄパターンは吐水時における開弁速度を早く、また止水時における閉弁速度を早くした例である。
【００４９】
ここで開弁ないし閉弁時間が早いとは１秒未満で開弁開始から開弁終了まで、或いは閉弁開始から閉弁終了までを行う場合であり、またゆっくりとは開弁開始から開弁終了まで、或いは閉弁開始から閉弁終了までを１秒以上の長時間かけて行う場合を意味する。
【００５０】
このように主弁体１６の開弁速度と閉弁速度との組合せのパターンを適宜選択可能となしておけば、水栓使用者はその選択を行うことで、水栓使用者自身に最も適した或いは最も好ましい吐水ないし止水の動作を水栓に行わせることが可能となる。
【００５１】
本実施形態では、図１２（Ａ）に示しているように吐水口２の向きを鉛直下向き、即ち吐水の方向を鉛直下向きとなしておくことができ、このようになした場合、吐水開始初期から後期まで一貫して吐水の向きを鉛直下向きに維持することができ、従って主弁体１６の開度が小から大に、又は大から小に漸次変化することによって吐水の勢いが変化した場合においても、吐水の向きを常に一定の鉛直下向きに維持することができる。
従って吐水の流量が微流量であるときにも糸を引くような吐水の状態を発現することができ、また向きを同じに維持しながら吐水流の太さを連続的に太く或いは細く変化させることができて、吐水の美しさ或いは品位をより高くすることができる。
【００５２】
一方、図１２（Ｂ）に示しているように吐水口２の向きが鉛直下向きをなしておらず、斜め下向きをなしている場合には、主弁体１６の開度に応じて、即ち吐水口２からの吐水の勢い及び吐水流量に応じて、吐水の向きは図中１点鎖線の矢印で示すように漸次変化して行く。
この場合、ステッピングモータからなる駆動モータ５０によってパイロット弁３６がステップ的に前進及び後退運動すると、吐水の方向も段階的に変化してしまい、吐水の美しさないし品位が損われる。
【００５３】
このような場合には、駆動モータ５０として例えばＤＣアナログモータを使うことによって吐水の流量変化、即ち吐水の向きの変化を連続的な変化となすことができる。
或いはまたステッピングモータからなる駆動モータ５０を用いる場合においても減速ギアを使うなどして、吐水の向きを連続的ないし連続に近いものとなすことができる。
【００５４】
以上本発明の実施形態を参考例とともに詳述したがこれらはあくまで一例示である。
例えば図１３に示しているように、パイロット弁体３６を径方向に環状に突出する状態に設けて、かかるパイロット弁体３６を主弁体１６に設けた環状のパイロット弁座３８に当接させ或いはこれから離間させる形式の弁装置１２に対して本発明を適用することも可能である。
また上記例示した水栓は一例示を示したに過ぎないものであって、他の様々な形態ないし種類の水栓に対して本発明を適用することが可能であるし、更に上記実施形態ではパイロット式の弁装置を例示しているが、本発明はモータ等の駆動手段によって直接主弁体を開閉作動させる形式の弁装置を備えた水栓に適用することも可能である等、本発明はその趣旨を逸脱しない範囲において種々変更を加えた形態で構成可能である。
【符号の説明】
【００５５】
１  吐水部
２  吐水口
１２  弁装置
１４  給水路
１６  主弁体（弁体）
５０  駆動モータ（駆動手段）
５２-１，５２-２，５２-３，５２-４  ディップスイッチ（選択手段）
【図１】
2011012541.tif 000003
【図２】
2011012541.tif 000004
【図３】
2011012541.tif 000005
【図４】
2011012541.tif 000006
【図５】
2011012541.tif 000007
【図６】
2011012541.tif 000008
【図７】
2011012541.tif 000009
【図８】
2011012541.tif 000010
【図９】
2011012541.tif 000011
【図１０】
2011012541.tif 000012
【図１１】
2011012541.tif 000013
【図１２】
2011012541.tif 000014
【図１３】
2011012541.tif 000015